(57)【要約】【課題】  本発明は、テープ状部品包装体を安定的に支持し得るテープ状部品包装体の支持装置及び包装装置を実現する。【解決手段】  本発明は、長手方向に沿って部品収納部が所定間隔で設けられたテープ状部品包装体の支持装置であって、テープ状部品包装体における部品収納部の幅方向側外方を、当該テープ状部品包装体の長手方向に沿って支持する貼着支持部と、テープ状部品包装体の幅方向側端部が支持手段と接触することを防止するための、当該貼着支持部を長手方向に切り欠いて設けられたテープ端部対応溝とを設けるようにしたことにより、テープ状部品包装体が幅方向に反りを有する場合でも、当該テープ状部品包装体を浮き上がらせることがないので、かくして確実に当該テープ状部品包装体を支持できる支持装置を実現できる。【選択図】        図２
2005088913.tif 000002
【特許請求の範囲】
【請求項１】
長手方向に沿って部品収納部が所定間隔で設けられたテープ状部品包装体の支持装置であって、
上記テープ状部品包装体における上記部品収納部の幅方向側外方を、当該テープ状部品包装体の長手方向に沿って支持する支持手段と、
上記テープ状部品包装体の幅方向側端部が上記支持手段と接触することを防止するための、当該支持手段を長手方向に切り欠いて設けられた接触回避手段と
を具えることを特徴とするテープ状部品包装体の支持装置。
【請求項２】
部品収納用テープの上面の長手方向に沿って所定間隔で設けられた部品収納部に部品を収納した後に、カバーテープを当該部品収納用テープに貼着することによりテープ状部品包装体を構成する包装装置であって、
上記部品収納用テープにおける上記部品収納部の幅方向側外方を、当該部品収納用テープの長手方向に沿って支持する支持手段と、
上記部品収納用テープの幅方向側端部が上記支持手段と接触することを防止するための、当該支持手段を長手方向に切り欠いて設けられた接触回避手段と、
上記支持手段によって支持された上記部品収納用テープ及び当該部品収納用テープの上面に重ねた上記カバーテープを挟んで、当該支持手段の反対側から当該支持手段により支持された部分を加熱して押圧することにより、上記カバーテープを上記部品収納用テープに貼着する貼着手段と
を具えることを特徴とする包装装置。
【発明の詳細な説明】
【技術分野】
【０００１】
本発明はテープ状部品包装体の支持装置及び包装装置に関し、例えば電子部品を包装する部品包装装置に適用して好適なものである。
【背景技術】
【０００２】
従来、電子部品の部品包装装置においては、電子部品をキャリアテープの部品収納部に収納して当該部品収納部を覆うカバーテープを貼着することにより、テープ状部品包装体を構成するようになされたものがある。
【０００３】
例えば図４に示すように、テープ状部品包装体１はキャリアテープ２及びカバーテープ５によって構成されており、このキャリアテープ２は、所定のプレス加工等によって長手方向に部品収納部３が所定間隔で形成され、当該部品収納部３に電子部品ＥＰを収納するようになされている。なお図４（Ａ）は上面図を示しており、図４（Ｂ）は矢印Ｙ−Ｙでとった断面図であり、図４（Ｃ）は矢印Ｘ−Ｘでとった断面図である。
【０００４】
またキャリアテープ２には、幅方向について部品収納部３の片側のみに、送り穴４が長手方向に所定間隔で穿設されており、当該キャリアテープ２を長手方向に順次所定のピッチで走行させることができるようになされている。
【０００５】
そしてキャリアテープ２は、所定の部品包装装置（図示せず）において部品収納部３に電子部品ＥＰが収納された後、図５に示すテープ貼着部１０によってカバーテープ５が貼着される。
【０００６】
このテープ貼着部１０は、支持台１１と当該支持台１１に対して近接及び離反する方向に移動可能なシールコテ１２とを有しており、所定のカバーテープ供給リールから供給されるカバーテープ５をキャリアテープ２の一面２Ａに合わせながらシールコテ１２を加熱して、カバーテープ５をキャリアテープ２の一面２Ａに所定時間押圧して貼着する。
【０００７】
ここで支持台１１には、キャリアテープ２の部品収納部３の形状に合わせて部品収納部対応溝１１Ａが設けられており、また貼着支持部１１Ｂ及び１１Ｃがシールコテ１２の貼着部１２Ａ及び１２Ｂを下側から支持することにより、カバーテープ５を確実に貼着し得るようになされている。
【０００８】
かくして部品包装装置は、テープ貼着部１０の支持台１１及びシールコテ１２によってカバーテープ５をキャリアテープ２に貼着することにより、電子部品ＥＰを包装したテープ状部品包装体１を製造するようになされている（例えば、特許文献１参照）。
【特許文献１】特開２００１−２１９９１１公報（第３頁、第１図）
【発明の開示】
【発明が解決しようとする課題】
【０００９】
ところでかかるキャリアテープ２においては、実際に部品収納部３をプレス加工等によって形成した結果、図６に示すように、キャリアテープ２の平坦部２Ｃ及び２Ｄと部品収納部３の側壁３Ｂ及び３Ｃとのなす角度が設計とは異なってしまい、幅方向の両端が他面２Ｂ側に反ってしまう場合がある。
【００１０】
このためキャリアテープ２は、平坦部２Ｃ及び２Ｄが幅方向の両端のみによって支持台１１と接触するために、幅方向の中央部分にある部品収納部３が浮き上がった状態となり、当該支持台１１のテーピング支持部１１Ａ及び１１Ｂとは接触しなくなる。
【００１１】
またキャリアテープ２は、幅方向について片側の平坦部２Ｄにのみ送り穴４を有しているため、当該平坦部２Ｄの幅方向の長さが反対側の平坦部２Ｃの幅方向の長さよりも長くなっており、このため平坦部２Ｄ側のテープ貼着部分２Ｆが平坦部２Ｃ側のテープ貼着部分２Ｅよりも持ち上げられた状態となる（図６）。
【００１２】
するとテープ貼着部１０は、支持台１１に近接する方向に移動するシールコテ１２によってカバーテープ５を貼着する際に、テープ貼着部分２Ｆに比べてテープ貼着部分２Ｅの押圧時間が短くなる
【００１３】
このためテープ状部品包装体１は、図７に示すように、テープ貼着部分２Ｆが正常に貼着されるものの、テープ貼着部分２Ｅが不完全に貼着される可能性がある。
【００１４】
このような場合、テープ状部品包装体１の搬送中に、不完全に貼着されたテープ貼着部分２Ｅ側から電子部品ＥＰが脱落することがあるという問題があった。
【００１５】
またこのような場合、テープ状部品包装体１は、テープ貼着部分２Ｅと２Ｆとの剥離強度が異なってしまうため、電子部品ＥＰを使用するためにカバーテープ５を剥離する際に、キャリアテープ２が傾いて電子部品ＥＰが飛び出してしまう等の問題があった。
【００１６】
かかる課題を解決するための従来の手法として、テープ貼着部１０の支持台１１にテープ状部品包装体１の幅方向の傾きを変化させる構造を設け、テープ貼着部分２Ｅ及び２Ｆにカバーテープ５が同時に貼着されるようになされたものがあるが、このような構成のテープ貼着部は、支持台の構造が複雑になってしまうという問題があった。
【００１７】
本発明は以上の点を考慮してなされたもので、簡易な構成でテープ状部品包装体を確実に支持できるテープ状部品包装体の支持装置及び包装装置を提案しようとするものである。
【課題を解決するための手段】
【００１８】
かかる課題を解決するため本発明においては、長手方向に沿って部品収納部が所定間隔で設けられたテープ状部品包装体の支持装置であって、テープ状部品包装体における部品収納部の幅方向側外方を、当該テープ状部品包装体の長手方向に沿って支持する支持手段と、テープ状部品包装体の幅方向側端部が支持手段と接触することを防止するための、当該支持手段を長手方向に切り欠いて設けられた接触回避手段とを設けるようにした。
【００１９】
この結果このテープ状部品包装体の支持装置では、簡易な構成によって実現できると共に、テープ状部品包装体が幅方向に反りを有する場合でも当該テープ状部品包装体を浮き上がらせることなく確実に支持できる。
【００２０】
また本発明においては、部品収納用テープの上面の長手方向に沿って所定間隔で設けられた部品収納部に部品を収納した後に、カバーテープを当該部品収納用テープに貼着することによりテープ状部品包装体を構成する包装装置であって、部品収納用テープにおける部品収納部の幅方向側外方を、当該部品収納用テープの長手方向に沿って支持する支持手段と、部品収納用テープの幅方向側端部が支持手段と接触することを防止するための、当該支持手段を長手方向に切り欠いて設けられた接触回避手段と、支持手段によって支持された部品収納用テープ及び当該部品収納用テープの上面に重ねたカバーテープを挟んで、当該支持手段の反対側から当該支持手段により支持された部分を加熱して押圧することにより、カバーテープを部品収納用テープに貼着する貼着手段とを設けるようにした。
【００２１】
この結果この包装装置では、簡易な構成によって実現できると共に、部品収納用テープが幅方向に反りを有する場合でも当該部品収納用テープを浮き上がらせることなく確実に支持することができ、これにより当該部品収納用テープにカバーテープを確実に貼着することができる。
【発明の効果】
【００２２】
本発明によれば、長手方向に沿って部品収納部が所定間隔で設けられたテープ状部品包装体の支持装置であって、テープ状部品包装体における部品収納部の幅方向側外方を、当該テープ状部品包装体の長手方向に沿って支持する支持手段と、テープ状部品包装体の幅方向側端部が支持手段と接触することを防止するための、当該支持手段を長手方向に切り欠いて設けられた接触回避手段とを設けるようにしたことにより、テープ状部品包装体が幅方向に反りを有する場合でも、当該テープ状部品包装体を浮き上がらせることがないので、かくして確実に当該テープ状部品包装体を支持できる支持装置を実現できる。
【００２３】
また本発明によれば、部品収納用テープの上面の長手方向に沿って所定間隔で設けられた部品収納部に部品を収納した後に、カバーテープを当該部品収納用テープに貼着することによりテープ状部品包装体を構成する包装装置であって、部品収納用テープにおける部品収納部の幅方向側外方を、当該部品収納用テープの長手方向に沿って支持する支持手段と、部品収納用テープの幅方向側端部が支持手段と接触することを防止するための、当該支持手段を長手方向に切り欠いて設けられた接触回避手段と、支持手段によって支持された部品収納用テープ及び当該部品収納用テープの上面に重ねたカバーテープを挟んで、当該支持手段の反対側から当該支持手段により支持された部分を加熱して押圧することにより、カバーテープを部品収納用テープに貼着する貼着手段とを設けるようにしたことにより、テープ状部品包装体が幅方向に反りを有する場合でも、当該テープ状部品包装体を浮き上がらせることがないので、当該部品収納用テープにカバーテープを確実に貼着することができ、かくして部品を確実に包装するテープ状部品包装体を構成し得る包装装置を実現することができる。
【発明を実施するための最良の形態】
【００２４】
以下、図面について、本発明の一実施の形態を詳述する。
【実施例】
【００２５】
図１において、２０は全体として本実施の形態による部品包装装置を示しており、制御部２１によって全体が統括制御されるようになされると共に、部品供給部２２及びテープ貼着部２３を有し、キャリアテープ供給ドラム２４及びキャリアテープ巻き取りドラム２５間に順次配設されている。
【００２６】
この部品収納装置２０では、テープ送り部２６によってキャリアテープ供給ドラム２４からキャリアテープ２を一定速度で順次引き出し、その一面２Ａを上面として部品供給部２２へ送出する。
【００２７】
部品供給部２２は、キャリアテープ２に形成された各部品収納部３に電子部品ＥＰを順次１つずつ収納し、テープ貼着部２３へ送出する。
【００２８】
テープ貼着部２３は、支持台３１及び当該支持台３１と近接又は離反する方向に移動可能なシールコテ１２を有すると共に、カバーテープ５が巻回されたカバーテープ供給リール３３を有しており、当該カバーテープ５をキャリアテープ２の搬送路に順次供給するようになされている。
【００２９】
そしてテープ貼着部２３は、カバーテープ供給リール２３から搬送路上に供給したカバーテープ５をキャリアテープ２の一面２Ａに合わせながら、一対の支持台３１、シールコテ１２を加熱してカバーテープ５をキャリアテープ２の一面２Ａに所定時間押圧して貼着する。
【００３０】
次に、テープ貼着部２３について説明する。図５との対応部分に同一符号を付して示す図２に示すように、テープ貼着部２３は支持台１１に代えて支持台３１を有している。
【００３１】
この支持台３１は、支持台１１と同様に、キャリアテープ２の部品収納部３の形状に合わせて、当該キャリアテープ２の走行方向に沿った部品収納部対応溝３１Ａとシールコテ１２の貼着部１２Ａ及び１２Ｂと対応するテーピング支持部３１Ｂ及び３１Ｃとを有しているが、さらにテープ端部対応溝３１Ｄ及び３１Ｅを有している。
【００３２】
ここで溝３１Ｄ及び３１Ｅは、キャリアテープ２を支持台３１上に乗せた際に、当該キャリアテープ２の幅方向の両端が他面２Ｂ側に反っている場合でも、当該キャリアテープ２の平坦部２Ｃ及び２Ｄがテーピング支持部３１Ｂ及び３１Ｃ以外に当該支持台３１と接触しないようになされている。
【００３３】
これにより支持台３１は、キャリアテープ２の平坦部２Ｃ及び２Ｄの幅方向の両端部を当該支持台３１に接触させることなく、当該キャリアテープ２をテーピング支持部３１Ｂ及び３１Ｃのみによって支持できるので、当該キャリアテープ２の貼着部分２Ｅ及び２Ｆの当該支持台３１に対する高さをほぼ同一にすることができる。
【００３４】
その結果、部品包装装置２０は、支持台３１に近接する方向に移動するシールコテ１２によってキャリアテープ２の貼着部分２Ｅ及び２Ｆを等しい時間だけ押圧することができるので、図３に示すように、当該貼着部分２Ｅ及び２Ｆにカバーテープ５を均等に貼着することができる。
【００３５】
以上の構成において、部品包装装置２０は、キャリアテープ２にカバーテープ５を貼着するテープ貼着部２３において、支持台３１にテープ端部対応溝３１Ｄ及び３１Ｅを設けるようにした。
【００３６】
これにより部品包装装置２０は、キャリアテープ２の貼着部分２Ｅ及び２Ｆにカバーテープ５を貼着する際に、当該キャリアテープ２の平坦部２Ｃ及び２Ｄの幅方向の両端部を支持台３１に接触させることなく、当該キャリアテープ２をテーピング支持部３１Ｂ及び３１Ｃのみによって支持できるので、当該キャリアテープ２の貼着部分２Ｅ及び２Ｆの当該支持台３１に対する高さをほぼ同一にすることができ、当該貼着部分２Ｅ及び２Ｆを等しい時間だけ押圧することによってカバーテープ５を均等に貼着することができる。
【００３７】
かくしてテープ状部品包装体１は、キャリアテープ２の貼着部分２Ｅ及び２Ｆが均等に貼着されるため、その搬送中に電子部品ＥＰが落下して破損してしまうことがなく、電子部品ＥＰを包装した状態を保持することができる。
【００３８】
またテープ状部品包装体１は、テープ貼着部分２Ｅと２Ｆとの剥離強度が等しくなるため、電子部品ＥＰを使用するためにカバーテープ５を剥離する際に、キャリアテープ２が傾いて電子部品ＥＰが飛び出してしまうようなことがなく、安定して当該電子部品ＥＰを取り出すことができる。
【００３９】
以上の構成によれば、部品包装装置２０は、テープ貼着部２３の支持台３１にテープ端部対応溝３１Ｄ及び３１Ｅを設けるようにしたことにより、キャリアテープ２をテーピング支持部３１Ｂ及び３１Ｃのみによって支持でき、キャリアテープ２の貼着部分２Ｅ及び２Ｆにカバーテープ５を均等に貼着することができるので、テープ状部品包装体１によって電子部品ＥＰを確実に包装することができると共に、当該貼着部分２Ｅ及び２Ｆにおける当該カバーテープ５の剥離強度を均等に揃えることができ、安定して当該電子部品ＥＰを取り出すことができる。
【００４０】
なお上述の実施の形態においては、本発明の支持装置を部品包装装置２０のテープ貼着部２３の支持台３１に適用するようにした場合について述べたが、本発明はこれに限らず、部品供給部２２の支持台など、キャリアテープ２を支持する他の支持台に適用するようにしても良い。
【００４１】
また上述の実施の形態においては、本発明の支持装置を、電子部品ＥＰを包装するためのテープ状部品包装体１（及びキャリアテープ２）を支持するための支持台３１に適用するようにした場合について述べたが、本発明はこれに限らず、他の種々の部品を包装するためのテープ状の包装体を支持する支持台に適用するようにしても良い。
【産業上の利用可能性】
【００４２】
本発明の支持装置は、部品包装装置以外にも、部品包装体から部品を取り出す部品取出装置等にも適用できる。
【図面の簡単な説明】
【００４３】
【図１】本実施の形態による部品包装装置の構成を示すブロック図である。
【図２】本実施の形態によるテープ貼着部の構成を示す略線的断面図である。
【図３】本実施の形態によるカバーテープの貼着状態を示す略線図である。
【図４】テープ状部品包装体１の構成を示す上面図、Ｙ−Ｙ断面図、Ｘ−Ｘ断面図である。
【図５】従来のテープ貼着部の構成を示す略線的断面図である。
【図６】従来のカバーテープ貼着の様子を示す略線的断面図である。
【図７】従来のカバーテープの貼着状態を示す略線図である。
【符号の説明】
【００４４】
１……テープ状部品包装体、２……キャリアテープ、３……部品収納部、５……カバーテープ、１０、２３……テープ貼着部、１１、３１……支持台、１１Ｂ、１１Ｃ、３１Ｂ、３１Ｃ……貼着支持部、１２……シールコテ、２０……部品包装装置、３１Ｄ、３１Ｅ……テープ端部対応溝。
【図１】
2005088913.tif 000003
【図２】
2005088913.tif 000004
【図３】
2005088913.tif 000005
【図５】
2005088913.tif 000006
【図６】
2005088913.tif 000007
【図７】
2005088913.tif 000008
【図４】
2005088913.tif 000009